(57)【特許請求の範囲】
【請求項１】
ＨＡコントロール信号（以後ＨＡ信号）を取り込むためのＨＡ端子と、前記ＨＡ信号が正規か、不正規かを判定する判定手段と、前記判定手段により運転制御を行う制御手段と、前記判定手段による前記ＨＡ端子からの信号が不正規の場合に異常信号を出力するとともに前記制御手段による運転状態を出力するモニター手段と、前記ＨＡ信号以外による空気調和機の強制運転制御状態を検知する遠隔検知手段とを備え、前記判定手段が前記ＨＡ端子からの信号が不正規のＨＡ信号であることを検知したときに、前記モニター手段は、ＨＡ信号が不正規であることを示す異常信号を出力した後、制御手段からの運転または停止状態を出力し、前記遠隔検知手段からの強制運転制御状態の検知がある場合は、前記モニター手段はＨＡ端子からの信号が正規不正規に関わらず、前記ＨＡ信号が入力されたときに異常信号を出力することを特徴とする空気調和機。
【請求項２】
空気調和機の異常を検知する異常検知手段を設け、前記異常検知手段からの異常検知信号があった場合は、モニター手段はＨＡ端子からの信号が正規不正規に関わらず、異常信号を出力することを特徴とする請求項１に記載の空気調和機。
【請求項３】
前記モニター手段からの異常信号を出力するタイマーを設けておき、タイマー時間中だけ異常信号を出力することを特徴とする請求項１または２に記載の空気調和機。
【請求項４】
モニター手段からの異常出力を出力するか否かを切り換える切換手段を設け、異常出力を出力するように設定された場合に、モニター手段による異常出力を行うことを特徴とする請求項１から３のいずれかに記載の空気調和機。
【発明の詳細な説明】
【技術分野】
【０００１】
本発明は、ホームオートメーション端子いわゆるＨＡ端子を有する空気調和機に関する。
【背景技術】
【０００２】
従来、この種の空気調和機では、例えば図７に記載された空気調和機がある。
【０００３】
図７において、１００は従来の空気調和機、１０１は空気調和機１００の制御手段、１０２は制御手段１００に有るＨＡ端子であり、１０３はＨＡコントロールするか否かを選択する切換手段、１０４はＨＡ信号を送受信するインターフェースユニット、１０５は空気調和機の運転／停止を行うリモコンであり、インターフェースユニット１０４は、空気調和機１００のＨＡ端子１０２と接続されており、リモコン１０５からの運転または停止の信号を受けたインターフェースユニット１０４は、空気調和機１００に対してＨＡ規格による運転制御の信号を送信し、これを受けた制御手段１０１は、空気調和機１００の運転制御を行うものである（例えば、特許文献１参照）。
【特許文献１】特開２００４−１６３０６４号公報
【発明の開示】
【発明が解決しようとする課題】
【０００４】
しかしながら、上記従来の構成では、インターフェースユニットのような外部制御機器がＨＡの制御信号を出すことにより運転を開始することになるが、この場合において、空気調和機側がＨＡの制御信号を正しく検知できなかった場合、外部制御機器にはＨＡ端子からのモニター信号が変化せず、外部制御機器側では空気調和機側がＨＡパルス信号を受信したか否かが分からず、また、空気調和機側の異常停止も検知できないという問題を有していた。
【０００５】
本発明は、上記従来の課題を解決するものであり、従来からのＨＡ端子を利用して運転制御を行う場合に、ＨＡ端子のモニター端子により空気調和機側のＨＡ制御信号の受信、空気調和機の異常または運転制御状態を知らせることが可能な空気調和機を提供することを目的とする。
【課題を解決するための手段】
【０００６】
上記課題を解決するため、本発明の空気調和機は、ＨＡコントロール信号（以後ＨＡ信号）を取り込むためのＨＡ端子と、ＨＡ信号が正規か、不正規かを判定する判定手段と、判定手段により運転制御を行う制御手段と、判定手段によるＨＡ端子からの信号が不正規の場合に異常信号を出力するとともに制御手段による運転状態を出力するモニター手段と、ＨＡ信号以外による空気調和機の強制運転制御状態を検知する遠隔検知手段とを備え、判定手段がＨＡ端子からの信号が不正規のＨＡ信号であることを検知したときに、モニター手段は、ＨＡ信号が不正規であることを示す異常信号を出力した後、制御手段からの運転または停止状態を出力し、遠隔検知手段からの強制運転制御状態の検知がある場合は、モニター手段はＨＡ端子からの信号が正規不正規に関わらず、ＨＡ信号が入力されたときに異常信号を出力することによって、ＨＡ信号の受信異常を知らせることで、ＨＡ信号の再送を促がすことができ、外部制御機器に機器側の遠隔中であることを知らせることができる。
【発明の効果】
【０００７】
本発明の空気調和機は、外部制御機器からの制御においてＨＡ端子を利用する場合に、ＨＡ端子からの運転制御を行う場合に、外部制御機器からの信号が受信出来たか、又は、空気調和機の運転状態がどのようであるかをＨＡ端子のモニター出力を利用して、外部制御機器に知らせることが出来るものである。
【発明を実施するための最良の形態】
【０００８】
第１の発明は、ＨＡコントロール信号（以後ＨＡ信号）を取り込むためのＨＡ端子と、ＨＡ信号が正規か、不正規かを判定する判定手段と、判定手段により運転制御を行う制御手段と、判定手段によるＨＡ端子からの信号が不正規の場合に異常信号を出力するとともに制御手段による運転状態を出力するモニター手段と、ＨＡ信号以外による空気調和機の強制運転制御状態を検知する遠隔検知手段とを備え、判定手段がＨＡ端子からの信号が不正規のＨＡ信号であることを検知したときに、モニター手段は、ＨＡ信号が不正規であることを示す異常信号を出力した後、制御手段からの運転または停止状態を出力し、遠隔検知手段からの強制運転制御状態の検知がある場合は、モニター手段はＨＡ端子からの信号が正規不正規に関わらず、ＨＡ信号が入力されたときに異常信号を出力することによって、ＨＡ信号の受信異常を知らせることで、ＨＡ信号の再送を促がすことができ、外部制御機器に機器側の遠隔中であることを知らせることができる。
【０００９】
第２の発明は、特に、第１の発明の空気調和機において、空気調和機の異常を検知する異常検知手段を設け、モニター手段はＨＡ端子からの信号が正規不正規に関わらず、異常手段からの異常検知があった場合には、ＨＡ信号が入力されたときに異常信号を出力することで外部制御機器に機器側の異常中であることを知らせることができる。
【００１０】
第３の発明は、特に、第１または第２の発明において、前記モニター手段からの異常信号を出力するタイマーを設けておき、タイマー時間中だけ異常信号を出力することで外部制御機器に機器側の状態を定期的に知らせることができる。遠隔中特徴とする請求項１から３のいずれかに記載の空気調和機。
【００１１】
第４の発明は、特に、第１から第３のいずれかの発明の空気調和機に、ＨＡ端子のモニター端子からの異常出力を出力するか否かを切り換える切換手段を設け、選択した場合にはモニター端子からの異常を出力し、異常検知の機能のない外部制御機器が接続された場合の誤動作を防止することができる。
【００１２】
以下、本発明の実施の形態について図面を参照しながら説明する。なお、本実施の形態によって本発明が限定されるものではない。
【００１３】
（実施の形態１）
図１は、本発明の実施の形態１における空気調和機の構成ブロック図である。同図において、空気調和機１は、制御手段２、ＨＡ端子３、判定手段４、制御手段２、モニター手段７から構成されている。また、図６はＨＡ端子の制御端子とモニター端子の出力状態を示す状態遷移図である。
【００１４】
通常ＨＡ制御を行う場合、運転または停止操作を行うリモコン６から運転操作されたインターフェースユニット５は、空気調和機１に対して、ＨＡ制御の為の信号をＨＡ信号の規格に従った制御信号でＨＡ端子３に送信する（図６のａ）。これを受けた判定手段４は受信の信号があらかじめ決められたＨＡ許可信号と合致しないと判断した場合、モニター手段７からの異常信号を送信する（図６のｂ）。モニター手段７は異常信号を送信後、制御手段２からの空気調和機１の運転状態信号を出力する（図６のｃ）。
【００１５】
以上のように構成された空気調和機１は、ＨＡ端子によるＨＡ制御を行う前に、外部制御機器であるインターフェースユニット５からのＨＡ制御信号を受信すると、判定手段４はＨＡ信号であるか否かを判定し、異常信号と検知した場合にＨＡ端子３のモニター端子から異常信号を出力することにより、インターフェースユニット５にＨＡ信号の受信異常を知らせることで、ＨＡ信号の再送を促がすことができる。
【００１６】
（実施の形態２）
図２は、本発明の実施の形態２における空気調和機の構成ブロック図である。同図において、図１と同じ構成要素については同じ符号を用い説明を省略する。
【００１７】
空気調和機の異常を検知する異常検知手段８を設け、異常手段により空気調和機の異常が検知された場合には、ＨＡ信号が入力されたときにモニター手段７は異常信号を出力し（図６のｄ）、その後、制御手段からの空気調和機の運転状態信号を出力する（図６のｅ）。
【００１８】
以上のように構成された空気調和機１は、異常検知手段８により空気調和機１が異常状態である場合は、インターフェースユニット５からのＨＡ制御信号が、判定手段４により正規と判断されてもモニター手段７からは異常信号を出力することによりインターフェースユニット５に空気調和機１がＨＡ制御が出来ない異常状態であることを知らせるものである。
【００１９】
（実施の形態３）
図３は、本発明の実施の形態３における空気調和機の構成ブロック図である。同図において、図１と同じ構成要素については同じ符号を用い説明を省略する。
【００２０】
ＨＡ信号以外による空気調和機の強制運転制御状態を検知する遠隔検知手段９を設け、実施の形態１記載のＨＡ制御信号の判定手を行った後、遠隔検知手段９による遠隔制御によるＨＡ制御禁止となっている場合、モニター手段７は異常信号を出力し（図６のｆ）、その後は制御手段からの空気調和機１の運転状態信号を出力する（図６のｇ）。
【００２１】
以上のように構成された空気調和機１は、遠隔検知手段９により遠隔制御中によるＨＡ禁止状態である場合は、インターフェースユニット５からのＨＡ制御信号が、判定手段４により正規と判断されてもモニター手段７からは異常信号を出力することによりインターフェースユニット５に空気調和機１がＨＡ制御が出来ない遠隔制御状態であることを知らせるものである。
本実施例での異常信号は、他の実施の形態とは異なる異常信号を出力する。
【００２２】
（実施の形態４）
図４は、本発明の実施の形態４における空気調和機の構成ブロック図である。同図において、実施の形態１で説明した部分については同じ符号を用い説明を省略する。
モニター手段７からの異常信号を出力する時間を決めるタイマー手段１０を設け、実施の形態１、２、３における異常信号の出力時に、一定時間の間もしくは定期的に異常信号を出力する（図６のｈ）。
【００２３】
以上のように構成された空気調和機１は、タイマー手段１０により異常信号を一定時間の出力し、インターフェース５に確実に、常時、空気調和機１の異常状態を伝えるものである。
【００２４】
（実施の形態５）
図５は、本発明の実施の形態５における空気調和機の構成ブロック図である。同図において、実施の形態１で説明した部分については同じ符号を用い説明を省略する。
モニター手段７からの異常信号を出力するか、否かを切り換える切換手段１１を設け、切換手段１１が異常信号を出力するとされたとき、モニター手段７から異常信号を出力する。
【００２５】
以上のように構成された空気調和機は、インターフェース５が異常信号の出力に対応していない場合、異常信号を出力することでインターフェース５に動作異常が起こるときに対応したものである。
【産業上の利用可能性】
【００２６】
以上のように、本発明にかかる空気調和機は、外部制御機器からのＨＡによる運転制御時に、空気調和機側の状態をモニター端子から送信することにより、外部制御機器が空気調和機側の状態を簡単に判断でき、ＨＡ信号の再送判断を行うことが可能であり、ＨＡ端子を用いたリモートコントロールに有用である。
【図面の簡単な説明】
【００２７】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】本発明の実施の形態４における空気調和機の構成ブロック図
【図５】本発明の実施の形態５における空気調和機の構成ブロック図
【図６】本発明の各実施の形態における制御端子とモニター端子の出力状態遷移図
【図７】従来の空気調和機における構成ブロック図
【符号の説明】
【００２８】
１  空気調和機
２  制御手段
３  ＨＡ端子
４  判定手段
５  インターフェースユニット
６  リモコン
７  モニター手段
８  異常検知手段
９  遠隔検知手段
１０  タイマー手段
１１  切換手段
【図１】
0004715338.tif 000002
【図２】
0004715338.tif 000003
【図３】
0004715338.tif 000004
【図４】
0004715338.tif 000005
【図５】
0004715338.tif 000006
【図６】
0004715338.tif 000007
【図７】
0004715338.tif 000008